(57)【要約】【課題】簡単且つ安価な構成で蛍光灯と電球とが混在するシーン等でも正確に光源種を検出して適正にホワイトバランス制御を行うことができるデジタルカメラを提供する。【解決手段】基準光源用のホワイトバランス（ＷＢ）ゲインを掛けたＲ，Ｇ，Ｂの積算値から色分布を求めて環境光源の色に関する評価値Ｆｃ（）を求め（ステップＳ１２〜Ｓ２２）、環境光源の輝度に関する評価値Ｆｙ（）を求め（ステップＳ１０，Ｓ２４）、赤外線に関する評価値Ｆｉｒ（）を求め、これらの評価値から環境光源の評価値Ｈｊを求める（ステップＳ２６）。所定閾値以上のＨｊから光源の色が白色となるようにＷＢバランス制御するためのＷＢゲインを算出し、このゲインが、基準光源のＷＢゲインとの間の値で、かつ環境光源に適した値となるように調整される（ステップＳ３０，Ｓ３２）。【選択図】      図７
2004349931.tif 000002
【特許請求の範囲】
【請求項１】
被写体を撮像したときの撮像画像の輝度レベルを検出する輝度レベル検出手段と、
前記被写体の輝度レベルが予め定めた所定レベル以下の場合に前記被写体にストロボ光を照射するストロボと、
前記ストロボ光を調光するために前記ストロボ光を検出すると共に、赤外線領域の少なくとも一部の光を検出可能なストロボ調光センサと、
前記撮像画像の画像データに、予め定めた特定光源を基準光源として該基準光源の色が予め定めた所定色となるようにホワイトバランス制御を行うための基準制御値を乗算する乗算手段と、
前記撮像画像を複数のエリアに分割し、各エリアに属する前記基準制御値が乗算された画像データから各々色情報を取得する色情報取得手段と、
取得したエリアごとの色情報に基づいて、各エリアの色分布を検出する色分布検出手段と、
前記輝度レベル検出手段により検出した被写体の輝度レベル、前記ストロボ調光センサにより検出した光の光量、及び前記色分布検出手段により検出した色分布に基づいて環境光源を定める設定手段と、
定めた環境光源の色が前記所定色となるようにホワイトバランス制御を行うための制御値を算出する算出手段と、
を含むことを特徴とするデジタルカメラ。
【請求項２】
前記算出手段は、予め定めた複数の環境光源の各々に対応して設けられた所定式によって算出された環境光源らしさの度合いを表す評価値が、予め定めた所定閾値以上であるか否かを判別する判別手段と、
前記所定閾値以上の評価値に各々対応した対応制御値を算出する第１算出手段と、
前記所定閾値以上の評価値を重みとした前記対応制御値の加重平均値を前記制御値として算出する第２算出手段と、
を含むことを特徴とする請求項１記載のデジタルカメラ。
【請求項３】
前記環境光源が蛍光灯の前記所定式は、前記ストロボ調光センサにより検出した光の光量が大きくなるに従って前記評価値が小さくなる領域を含む関数であることを特徴とする請求項２記載のデジタルカメラ。
【請求項４】
前記制御値が、前記制御値と前記基準制御値との間の値で、かつ前記環境光源に適した値となるように、前記制御値を調整する調整手段をさらに備えたことを特徴とする請求項１乃至請求項３の何れか１項に記載のデジタルカメラ。
【発明の詳細な説明】
【０００１】
【発明の属する技術分野】
本発明はデジタルカメラに係り、特に、光源種を検出し、検出した光源種に応じて適正なホワイトバランス制御を行うデジタルカメラに関する。
【０００２】
【従来の技術】
従来のデジタルカメラでのホワイトバランス制御として、赤（Ｒ）、緑（Ｇ）、青（Ｂ）の色信号のうち、画面全体におけるＲ信号の平均値とＢ信号の平均値との差信号（Ｒ−Ｂ）を計算し、この差信号（Ｒ−Ｂ）が０になるようにＲ信号及びＢ信号のゲインを制御し、ホワイトバランスを制御するようにしたものがある。このオートホワイトバランス制御方法の場合、被写体の色温度分布が不均一であったり、単一色が多い場合にはホワイトバランスを誤補正するという問題がある。
【０００３】
また、前記差信号（Ｒ−Ｂ）を０にするようなホワイトバランス制御では、差信号（Ｒ−Ｂ）が０にならないシーンの場合には、輝度レベルに応じてＲ信号及びＢ信号のゲインの制御範囲を制限するようにしても、誤補正を少なくするにとどまり、そのシーンに適したホワイトバランス制御を行うことができない、という問題があった。
【０００４】
また、特許文献１に開示された技術では、蛍光灯光源を識別して適切なホワイトバランス制御を行なうために、屋外、特に低輝度屋外では光源が蛍光灯であるとの誤判断を回避すべく赤外線センサを用いて赤外線が検出された場合には蛍光灯補正を行なわず、赤外線が検出されないことを確認した上で蛍光灯の色情報を検出してホワイトバランスを蛍光灯補正している。
【０００５】
【特許文献１】
特開平８−３２９９０号公報（第７頁、図９）
【０００６】
【発明が解決しようとする課題】
しかしながら、上記従来技術では、低輝度屋外と屋内の蛍光灯シーンとの区別は可能であるものの、屋内での蛍光灯と電球との混在するシーンでは適切なホワイトバランス補正をすることができなかった。すなわち、屋内では蛍光灯と電球が共に点灯されていることも多いが、電球には波長７８０ｎｍ以上の赤外線成分が含まれる。このため蛍光灯と電球との混在するシーンでは、蛍光灯補正が全く行なわれず、適切なホワイトバランスの補正が行なわれない、という問題があった。
【０００７】
また、上記従来技術では、別途赤外線センサを設けなければならないため、コストが高くなる、という問題もあった。
【０００８】
本発明は、上記事実を考慮してなされたものであり、簡単且つ安価な構成で蛍光灯と電球とが混在するシーン等でも正確に光源種を検出して適正にホワイトバランス制御を行うことができるデジタルカメラを提供することを目的とする。
【０００９】
【課題を解決するための手段】
上記目的を達成するために、請求項１記載の発明は、被写体を撮像したときの撮像画像の輝度レベルを検出する輝度レベル検出手段と、前記被写体の輝度レベルが予め定めた所定レベル以下の場合に前記被写体にストロボ光を照射するストロボと、前記ストロボ光を調光するために前記ストロボ光を検出すると共に、赤外線領域の少なくとも一部の光を検出可能なストロボ調光センサと、前記撮像画像の画像データに、予め定めた特定光源を基準光源として該基準光源の色が予め定めた所定色となるようにホワイトバランス制御を行うための基準制御値を乗算する乗算手段と、前記撮像画像を複数のエリアに分割し、各エリアに属する前記基準制御値が乗算された画像データから各々色情報を取得する色情報取得手段と、取得したエリアごとの色情報に基づいて、各エリアの色分布を検出する色分布検出手段と、前記輝度レベル検出手段により検出した被写体の輝度レベル、前記ストロボ調光センサにより検出した光の光量、及び前記色分布検出手段により検出した色分布に基づいて環境光源を定める設定手段と、定めた環境光源の色が前記所定色となるようにホワイトバランス制御を行うための制御値を算出する算出手段と、を含むことを特徴とする。
【００１０】
この発明によれば、輝度レベル検出手段は、被写体を撮像したときの撮像画像の輝度レベルを検出する。輝度レベルは、例えば撮像画像のＲ，Ｇ，Ｂの各色データから求めることができるが、専用のセンサで検出してもよい。
【００１１】
ストロボは、例えば被写体の輝度レベルが予め定めた所定レベル以下の場合、すなわち被写体が暗く、十分なコントラストが得られない撮影状況の場合に、被写体にストロボ光を照射する。
【００１２】
ストロボ調光センサは、ストロボ光を調光するためにストロボ光を検出する。例えばストロボ光を発光してその光量を検出し、検出した光量が予め定めた光量になった場合、すなわち、十分なコントラストが得られる程度に被写体にストロボ光が照射された場合にストロボ光の発光を停止することにより、適正な光量に調光される。
【００１３】
また、ストロボ調光センサは、赤外線領域の少なくとも一部の光を検出可能なセンサであり、例えば分光特性としてピークが赤外線領域となるようなセンサである。すなわち、ストロボ調光センサは、赤外線センサと兼用することができる。
【００１４】
乗算手段は、撮像画像の画像データに、予め定めた特定光源を基準光源として該基準光源の色が予め定めた所定色、例えば白色となるようにホワイトバランス制御を行うための基準制御値を乗算する。すなわち、撮像画像の画像データを、所定の特定光源を光源とした場合のホワイトバランス制御が施された画像データに補正する。なお、例えばストロボ撮影を行わない場合にはデーライト（晴れ）光を特定光源とし、ストロボ撮影を行う場合には、ストロボ光を特定光源とすることができる。
【００１５】
色情報取得手段は、撮像画像を複数のエリアに分割し、各エリアに属する基準制御値が乗算された画像データから各々色情報を取得する。色情報は、例えばエリア内のＲ、Ｇ、Ｂ信号の比Ｒ／Ｇ、Ｂ／Ｇとすることができる。
【００１６】
色分布検出手段は、色情報取得手段によって取得したエリアごとの色情報に基づいて、各エリアの色分布を検出する。色分布は、例えば各エリアを予め定めた複数の環境光源に対応した色分布の範囲を示す検出枠に当てはめ、各々の検出枠に当てはまるエリアの個数を求めることにより得ることができる。検出枠は、例えばＲ／Ｇの範囲とＢ／Ｇの範囲とによって定められた枠とすることができる。
【００１７】
設定手段は、輝度レベル検出手段により検出した被写体の輝度レベル、ストロボ調光センサにより検出した光の光量、及び色分布検出手段により検出した色分布に基づいて環境光源を定める。色分布は、基準制御値が乗算された画像データから取得された色情報から求められているため、環境光源を定めることができる。環境光源とは、撮影時の周囲の光源をいい、例えば蛍光灯、電球等の光源をいう。環境光源は、例えば予め定めた複数の環境光源の各々に対応して設けられた所定式によって算出された環境光源らしさの度合いを表す評価値に基づいて定めることができる。所定式は、例えば輝度レベルやストロボ調光センサにより検出した光の光量、色分布、すなわち各検出枠に当てはまるエリアの個数等から環境光源らしさの度合いを表す評価値を算出する式によって定めることができる。
【００１８】
このように、色分布だけでなく輝度レベルやストロボ調光センサにより検出した光の光量を考慮して環境光源を定めるため、環境光源を正確に定めることができる。例えば、請求項３に記載したように、前記環境光源が蛍光灯の前記所定式は、前記ストロボ調光センサにより検出した光の光量が大きくなるに従って前記評価値が小さくなる領域を含む関数とすることができる。
【００１９】
すなわち、蛍光灯の場合は、７００ｎｍ以上の波長の成分をほとんど含んでいないため、蛍光灯らしさを表す評価値を求めるための所定式は、ストロボ調光センサにより検出した光の光量が大きくなるに従って、すなわち赤外線の成分が多くなるほど蛍光灯らしさを表す評価値が小さくなるような式とする。これにより、低輝度屋外（日陰）の葉緑シーンにおいて光源を蛍光灯と誤判断するのを防止することができる。
【００２０】
算出手段は、定めた環境光源の色が所定色となるようにホワイトバランス制御を行うための制御値を算出する。算出手段は、例えば請求項２にも記載したように、前記算出手段は、予め定めた複数の環境光源の各々に対応して設けられた所定式によって算出された環境光源らしさの度合いを表す評価値が、予め定めた所定閾値以上であるか否かを判別する判別手段と、前記所定閾値以上の評価値に各々対応した対応制御値を算出する第１算出手段と、前記所定閾値以上の評価値を重みとした前記対応制御値の加重平均値を前記制御値として算出する第２算出手段と、を含む構成とすることができる。
【００２１】
すなわち、環境光源らしさの度合いを表す評価値が所定閾値以上のものが環境光源である確率が高いと判断し、所定閾値以上であると判断された環境光源の各々に対応する対応制御値を求め、これらの加重平均値を制御値とする。これにより、バランスよく制御値を定めることができる。
【００２２】
この制御値を撮影画像の画像データに乗算することにより、ホワイトバランスを適正に補正することができる。
【００２３】
このように、輝度レベルや色分布だけでなく、赤外線成分をも考慮してホワイトバランスを制御するため、特に屋外で撮影されたのにも拘わらず光源を蛍光灯と誤判断してしまうのを防ぐことができる。また、赤外線成分を検出するセンサとして、別途赤外線センサを設けるのではなく、ストロボ調光センサで兼用するようにしたため、装置を低コストとすることができる。
【００２４】
また、請求項４に記載したように、前記制御値が、前記制御値と前記基準制御値との間の値で、かつ前記環境光源に適した値となるように、前記制御値を調整する調整手段をさらに備えた構成としてもよい。
【００２５】
この調整手段による調整の度合いは、例えばカラーフェリアの発生を抑制するための実験等から得られた経験値によって定められる。このように、環境光源に適した値となるように制御値を調整することにより、適正にホワイトバランス制御することができる。なお、制御値の調整は、環境光源の種類に拘わらず一律に調整してもよいし、環境光源の種類に応じて個別に調整してもよい。
【００２６】
【発明の実施の形態】
以下、図面を参照して本発明の実施の形態の一例について詳細に説明する。
【００２７】
図１は本発明に係るデジタルカメラの背面図であり、図２はカメラ上面に設けられたモードダイヤルの平面図である。
【００２８】
図２に示すようにモードダイヤル１は、ダイヤル上のアイコン１Ａ〜１ＦがマークＭに合うように回転させることにより、複数段階の露出で撮影する連写／ブラケティングモード１Ａ、絞りやシャッタースピードを各々設定可能なマニュアル撮影モード１Ｂ、様々な被写体の撮影に適したオート撮影モード１Ｃ、人物を撮影する場合に適した人物モード１Ｄ、風景を撮影する場合に適した風景モード１Ｅ、及び夜景を撮影する場合に適した夜景モード１Ｆ等の撮影モードに設定できるようになっている。なお、図２上では、風景モード１Ｅが設定されている。
【００２９】
また、これらの撮影モードの他に、絞り及びシャッタスピードの組み合わせを選択できるＰ（プログラム）モード、絞りを選択でき、シャッタースピードが自動的に選択されるＡ（絞り優先）モード、シャッタースピードを選択でき、絞りが自動的に選択されるＳ（シャッタースピード優先）モード等の撮影モードを設定することができる。さらに、各撮影モードについて、自動的にストロボ発光するオートモード、人物を撮影した場合に赤目になるのを軽減するための赤目軽減モード、ストロボ光を強制発光させるストロボ強制発光モード、ストロボ光を発光すると共にシャッタースピードを長めにして人物と夜景とをバランスよく撮影するためのスローシンクロモード等のストロボモードを設定することができる。
【００３０】
また、モードダイヤル１の中央には、半押し時にＯＮするスイッチＳ１と、全押し時にＯＮするスイッチＳ２とを有するシャッタボタン２が設けられている。
【００３１】
このデジタルカメラの背面には、図１に示すようにファインダ接眼部３、シフトキー４、表示キー５、撮影モード／再生モード切替えレバー６、キャンセルキー７、実行キー８、マルチファンクションの十字キー９、及び液晶モニタ５２が設けられている。
【００３２】
図３は、図１に示したデジタルカメラの内部構成を示すブロック図である。
【００３３】
同図において、撮影レンズ１０及び絞り１２を介して固体撮像素子（ＣＣＤ）１４の受光面に結像された被写体像は、各センサで光の入射光量に応じた量の信号電荷に変換される。このようにして蓄積された信号電荷は、ＣＣＤ駆動回路１６から加えられるリードゲートパルスによってシフトレジスタに読み出され、レジスタ転送パルスによって信号電荷に応じた電圧信号として順次読み出される。尚、このＣＣＤ１４は、蓄積した信号電荷をシャッタゲートパルスによって掃き出すことができ、これにより電荷の蓄積時間（シャッタスピード）を制御する、いわゆる電子シャッタ機能を有している。
【００３４】
ＣＣＤ１４から順次読み出された電圧信号は、相関二重サンプリング回路（ＣＤＳ回路）１８に加えられ、ここで各画素ごとのＲ、Ｇ、Ｂ信号がサンプリングホールドされ、Ａ／Ｄ変換器２０に加えられる。Ａ／Ｄ変換器２０は、ＣＤＳ回路１８から順次加えられるＲ、Ｇ、Ｂ信号を例えば１０ビット（０〜１０２３）のデジタルのＲ、Ｇ、Ｂ信号に変換して出力する。尚、ＣＣＤ駆動回路１６、ＣＤＳ回路１８及びＡ／Ｄ変換器２０は、タイミング発生回路（ＴＧ）２２から加えられるタイミング信号によって同期して駆動されるようになっている。
【００３５】
Ａ／Ｄ変換器２０から出力されたＲ、Ｇ、Ｂ信号は、一旦メモリ２４に格納され、その後、メモリ２４に格納されたＲ、Ｇ、Ｂ信号は、デジタル信号処理回路２６に加えられる。デジタル信号処理回路２６は、同時化回路２８、ホワイトバランス調整回路３０、ガンマ補正回路３２、ＹＣ信号作成回路３４、及びメモリ３６から構成されている。
【００３６】
同時化回路２８は、メモリ２４から読み出された点順次のＲ、Ｇ、Ｂ信号を同時式に変換し、Ｒ、Ｇ、Ｂ信号を同時にホワイトバランス調整回路３０に出力する。ホワイトバランス調整回路３０は、Ｒ、Ｇ、Ｂ信号のデジタル値をそれぞれ増減するための乗算器３０Ｒ、３０Ｇ、３０Ｂから構成されており、Ｒ、Ｇ、Ｂ信号は、それぞれ乗算器３０Ｒ、３０Ｇ、３０Ｂに加えられる。
【００３７】
乗算器３０Ｒ、３０Ｇ、３０Ｂの他の入力には、中央処理装置（ＣＰＵ）３８からホワイトバランス制御するためのホワイトバランス補正値（ゲイン値）Ｒｇ、Ｇｇ、Ｂｇが加えられており、乗算器３０Ｒ、３０Ｇ、３０Ｂはそれぞれ２入力を乗算し、この乗算によってホワイトバランス調整されたＲ’、Ｇ’、Ｂ’信号をガンマ補正回路３２に出力する。尚、ＣＰＵ３８からホワイトバランス調整回路３０に加えられるホワイトバランス補正値Ｒｇ、Ｇｇ、Ｂｇの詳細については後述する。
【００３８】
ガンマ補正回路３２は、ホワイトバランス調整されたＲ’、Ｇ’、Ｂ’信号が所望のガンマ特性となるように入出力特性を変更し、また、１０ビットの信号が８ビットの信号となるように変更し、ＹＣ信号作成回路３４に出力する。ＹＣ信号作成回路３４は、ガンマ補正されたＲ、Ｇ、Ｂ信号から輝度信号Ｙとクロマ信号Ｃｒ、Ｃｂとを作成する。これらの輝度信号Ｙとクロマ信号Ｃｒ、Ｃｂ（ＹＣ信号）は、メモリ２４と同じメモリ空間のメモリ３６に格納される。
【００３９】
ここで、メモリ３６内のＹＣ信号を読み出し、液晶モニタ５２に出力することにより動画又は静止画を液晶モニタ５２に表示させることができる。また、撮影後のＹＣ信号は、圧縮／伸長回路５４によって所定のフォーマットに圧縮されたのち、記録部５６にてメモリカードなどの記録媒体に記録される。更に、再生モード時にはメモリカードなどに記録されている画像データが圧縮／伸長回路５４によって伸長処理された後、液晶モニタ５２に出力され、液晶モニタ５２に再生画像が表示されるようになっている。
【００４０】
ＣＰＵ３８は、図１に示したモードダイヤル１、シャッタボタン２等を含むカメラ操作部４０からの入力に基づいて各回路を統括制御するとともに、オートフォーカス、自動露光制御、オートホワイトバランス等の制御を行う。このオートフォーカス制御は、例えばＧ信号の高周波成分が最大になるように撮影レンズ１０を移動させるコントラストＡＦであり、シャッタボタン２の半押し時にＧ信号の高周波成分が最大になるように駆動部４２を介して撮影レンズ１０を合焦位置に移動させる。
【００４１】
自動露光制御では、図４に示すように予め決めた露出▲１▼〜▲４▼にて最大４回Ｒ、Ｇ、Ｂ信号を取り込み、これらのＲ、Ｇ、Ｂ信号を積算した積算値に基づいて被写体輝度（撮影ＥＶ値）を求める。これは、シャッタボタン２の半押し時に実行される。なお、撮影ＥＶ値を求める処理は、本発明の輝度レベル検出手段に相当する。
【００４２】
また、ＣＰＵ３８には、撮影ＥＶ値などの各種データを記憶するためのメモリ３９、ストロボ光を発光するためのストロボ６０及びストロボ調光センサ６２を駆動するための駆動部６４が接続されており、これらを制御する。
【００４３】
ストロボ６０は、例えば撮影ＥＶ値が予め定めた所定値以下の場合、すなわち被写体が暗く、十分なコントラストが得られない撮影状況の場合に発光し、被写体にストロボ光を照射する。
【００４４】
ストロボ調光センサ６２は、ストロボ６０で発光したストロボ光を検出し、その光量に応じた検出電圧を駆動部６４へ出力する。駆動部６４では、ストロボ調光センサ６２から出力された検出電圧が予め定めた所定値になった場合、すなわち、十分なコントラストが得られる程度に被写体にストロボ光が照射された場合にストロボ６０によるストロボ光の発光を停止させる。これにより、適正な光量に調光される。
【００４５】
また、ストロボ調光センサ６２の分光感度特性は図５に示すような特性であり、ピーク付近が赤外線領域（波長が７８０ｎｍ以上）を含むようなセンサである。すなわち、ストロボ調光センサ６２は、赤外線センサと兼用することができる。
【００４６】
次に、撮影ＥＶ値の測定の詳細について説明する。
【００４７】
図６に示すように、１画面を複数のエリア（８×８）に分割し、各分割エリアごとにＲ、Ｇ、Ｂ信号から求めた輝度信号を積算し、その積算値に基づいて各分割エリアのＥＶ値（ＥＶｉ）を求める。続いて、図５に示すように撮影モードに対応して各分割エリアのＥＶ値に重み付けを行い、画面全体のＥＶ’値を次式によって算出する。
【００４８】
【数１】
2004349931.tif 000003
【００４９】
但し、ｉは、分割エリアの各々を示す添え字であり、上記の場合、０〜６３の値を取り得る。Ｎは、分割エリア数を示し、上記の場合は８×８＝６４である。ΔＥＶｉｓｏは、所定の感度（例えばＩＳＯ２００）を基準としてＥＶ値補正量であり、感度が変更されても、ＥＶ’が一定となるように調整するための値である。Ｗｉは、各分割エリアごとの重み係数であり、例えば図６に示すように中央重点測光方式の重み係数を用いる。
【００５０】
上記のように算出したＥＶ’に対し、更に、次式に示すように撮影モードに応じた露出補正ΔＥＶを行って撮影ＥＶ値を求める。求めた撮影ＥＶ値は、メモリ３９に記憶される。
【００５１】
ＥＶ＝ＥＶ’−ΔＥＶ    …（２）
なお、ΔＥＶは、例えば、人物モードの場合にはΔＥＶ＝０、風景モード、夜景モードの場合にはΔＥＶ＝０．３とする。
【００５２】
上記のようにして求めた撮影ＥＶ値に基づいて撮影時の絞り値とシャッタスピードを最終的に決定する。
【００５３】
そして、シャッタボタンの全押し時に前記決定した絞り値になるように絞り駆動部４４を介して絞り１２を駆動し、また、決定したシャッタスピードとなるように電子シャッタによって電荷の蓄積時間を制御する。
【００５４】
次に、図７に示すフローチャートを参照しながらオートホワイトバランス制御方法について説明する。
【００５５】
なお、ストロボ発光しない撮影の場合には、図７に示したホワイトバランス制御は、撮影モードが夜景モード以外の場合に実行され、その他の撮影モードの場合には通常のホワイトバランス制御が行われる。
【００５６】
また、ストロボ発光する撮影の場合には、予め定めた撮影モード及びストロボモードの場合で、かつストロボ発光すると判断した場合に図７に示すホワイトバランス制御が実行される。
【００５７】
以下の表に、ストロボ発光する撮影の場合に、図７に示したホワイトバランス制御が実行される撮影モード及びストロボモードの組み合わせを示す。例えば撮影モード及びストロボモードが共にオートモードで、ＥＶ値が所定閾値以下の場合には、以下のホワイトバランス制御が実行され、その他の場合、例えば撮影モードが風景モードでストロボモードが強制発光モードの場合には、通常のホワイトバランス制御が行われる。
【００５８】
【表１】
2004349931.tif 000004
【００５９】
まず、ＥＶ値や撮影モード及びストロボモードからストロボ発光するか否かが判断され、撮影モードが夜景モードの場合で、かつストロボ発光しないと判断された場合には、周知の方法によりデーライト光を光源としたストロボ発光しない場合に適したホワイトバランス制御を行うためのホワイトバランス補正値Ｒｇ、Ｇｇ、Ｂｇが設定され、ホワイトバランス調整回路３０に入力される。
【００６０】
また、ストロボ発光すると判断された場合は、撮影モード及びストロボモードが上記の表１の○で示される組み合わせであるか否かが判断される。そして、ストロボ発光すると判断し、かつ撮影モード及びストロボモードが上記の表１の○で示される組み合わせでないと判断された場合には、周知の方法により通常のストロボ発光時のホワイトバランス制御を行うためのホワイトバランス補正値Ｒｇ、Ｇｇ、Ｂｇが設定され、ホワイトバランス調整回路３０に入力される。
【００６１】
そして、撮影モードが夜景モード以外で、かつストロボ発光しないと判断した場合又は撮影モード及びストロボモードが上記の表１の○で示される組み合わせであるか場合には、ＣＰＵ３８は、シャッタボタンの半押し時に求めた撮影ＥＶ値をメモリ３９から読み込む（ステップＳ１０）。
【００６２】
シャッタボタンの全押し時に撮像された画像のＲ、Ｇ、Ｂ信号は一旦メモリ２４に格納されているが、この画像を複数のエリア（例えば８×８）に分割し、各分割エリアごとにＲ、Ｇ、Ｂ信号の色別の積算値を積算回路４８によって求める（ステップＳ１２）。
【００６３】
Ｒ，Ｇ，Ｂ信号の積算値Ｒｔ，Ｇｔ，Ｂｔは、積算回路４８とＣＰＵ３８との間に設けられた乗算器（乗算手段）５０Ｒ、５０Ｇ、５０Ｂに出力され、乗算器５０Ｒ、５０Ｇ、５０Ｂによって予め定められた基準ＷＢ（ホワイトバランス）ゲイン値（基準制御値）Ｒｃ，Ｇｃ、Ｂｃが掛けられる（ステップＳ１４）。なお、基準ＷＢゲイン値Ｒｃ，Ｇｃ、Ｂｃは、予めメモリ３９に記憶されている。
【００６４】
基準ＷＢゲイン値Ｒｃ，Ｇｃ，Ｂｃが掛けられたＲ，Ｇ，Ｂ信号の積算値Ｒｔ’，Ｇｔ’，Ｂｔ’は、ＣＰＵ３８に入力される。
【００６５】
この基準ＷＢゲイン値Ｒｃ，Ｇｃ，Ｂｃは、ストロボ発光しない撮影の場合には、天気が晴れの場合のように、光源がデーライト光の場合にホワイトバランスが適正となるように調整するためのゲイン値Ｒｄ，Ｇｄ，Ｂｄが設定される。また、ストロボ発光して撮影する場合には、ストロボ光が被写体に十分に到達した場合のように、光源としてストロボ光が支配的な場合にホワイトバランスが適正となるように調整するためのゲイン値Ｒｓｔ，Ｇｓｔ，Ｂｓｔが設定される。
【００６６】
そして、ＣＰＵ３８は、入力されたＲ信号の積算値Ｒｔ’とＧ信号の積算値Ｇｔ’との比Ｒｔ’／Ｇｔ’、及びＢ信号の積算値とＧ信号の積算値との比Ｂｔ’／Ｇｔ’を求める（ステップＳ１６）。なお、この処理は、本発明の色情報取得手段に相当する。
【００６７】
上記のようにして各分割エリアごとに求められるＲｔ’／Ｇｔ’、Ｂｔ’／Ｇｔ’は、その分割エリアが、図８に示すグラフ上に表された検出枠のうちの、どの検出枠内に入るかを判別するために使用される。なお、図８における各検出枠は、環境光源などの色分布の範囲を規定するものである。
【００６８】
図８に示すように、検出枠には、青空検出枠、日陰検出枠、昼光色（蛍光灯）検出枠、昼白色（蛍光灯）検出枠、白色（蛍光灯）検出枠、デーライト検出枠、電球色蛍光灯検出枠、電球（タングステン電球）検出枠がある。なお、デーライト検出枠は、ストロボ発光しない撮影の場合の検出枠であり、ストロボ撮影する場合には、ストロボ検出枠となる。
【００６９】
そして、ＣＰＵ３８は、Ｒｔ’／Ｇｔ’＝Ｘ’、Ｂｔ’／Ｇｔ’＝Ｙ’として、各分割エリアごとに求められたＲｔ’／Ｇｔ’、Ｂｔ’／Ｇｔ’で表される（Ｘｉ’、Ｙｉ’）が、これらの検出枠のうちの、どの検出枠内に入るかを判別し、その個数をカウントする（ステップＳ１８）。このとき、ストロボ発光しない撮影の場合には、日陰検出枠内の個数は、分割エリアのＥＶ値が所定値以下のものについてのみカウントし、青空検出枠内の個数は、ＥＶ値が所定値以上のものだけについてカウントする。なお、この処理は、本発明の色分布検出手段に相当する。
【００７０】
次に、各検出枠内に存在する（Ｘｉ’、Ｙｉ’）の平均値（Ｘａｊ’Ｙａｊ’）を求める（ステップＳ２０）。ここで、ｊは、各検出枠の各々を示す添え字である。なお、平均値でなく、重心値でもよい。
【００７１】
次に、各検出枠に対応して設けられたメンバシップ関数により、色に関する光源らしさ（日陰らしさ等）を表す評価値Ｆｃ（）を算出する（ステップＳ２２）。メンバシップ関数は、検出枠内の個数を変数として色に関する光源らしさを表す評価値Ｆｃ（）を出力する関数である。すなわち、評価値が高ければ、その検出枠に対応する光源（環境光源）の可能性が高くなる。
【００７２】
Ｆｃ（ＣＬＤ）は、図９に示すように、日陰検出枠内に入る分割エリアの個数を変数とした日陰らしさを表すメンバシップ関数の値である。
【００７３】
Ｆｃ（ＳＫＹ）は、図１０に示すように、青空検出枠内に入る分割エリアの個数を変数とした青空らしさを表すメンバシップ関数の値である。
【００７４】
Ｆｃ（ＥＸＤ）、Ｆｃ（ＥＸＮ）、Ｆｃ（Ｗ）、Ｆｃ（ＥＸＬ）、Ｆｃ（ＴＮＧ）は、図９に示したＦｃ（ＣＬＤ）と同様のメンバシップ関数である。ここで、Ｆｃ（ＥＸＤ）は、昼光色検出枠内に入る分割エリアの個数を変数とした昼光色の蛍光灯らしさを表すメンバシップ関数であり、Ｆｃ（ＥＸＮ）は、昼白色検出枠内に入る分割エリアの個数を変数とした昼白色の蛍光灯らしさを表すメンバシップ関数の値であり、Ｆｃ（Ｗ）は、白色検出枠内に入る分割エリアの個数を変数とした白色の蛍光灯らしさを表すメンバシップ関数であり、Ｆｃ（ＥＸＬ）は、電球色蛍光灯検出枠内に入る分割エリアの個数を変数とした電球色の蛍光灯らしさを表すメンバシップ関数であり、Ｆｃ（ＴＮＧ）は、電球検出枠内に入る分割エリアの個数を変数とした電球らしさを表すメンバシップ関数の値である。
【００７５】
Ｆｃ（ＤＡＹ）は、デーライト検出枠内に入る分割エリアの個数を変数とした晴れらしさを表すメンバシップ関数の値であり、このメンバシップ関数は、図１０に示す蛍光灯らしさを表すメンバシップ関数と同様である。
【００７６】
Ｆｃ（ＴＹＰ）は、ストロボ検出枠内に入る分割エリアの個数を変数としたストロボらしさ、すなわちストロボ光が支配的であるか否かを表すメンバシップ関数の値であり、このメンバシップ関数は、図９に示す日陰らしさを表すメンバシップ関数と同様である。
【００７７】
次に、各検出枠に対応して設けられたメンバシップ関数により、輝度に関する光源らしさ（屋内らしさ、屋外らしさ）を表す評価値Ｆｙ（）を算出する（ステップＳ２４）。メンバシップ関数は、ステップＳ１０で取得したＥＶ値を変数として輝度に関する光源らしさを表す評価値を出力する関数である。
【００７８】
Ｆｙ（屋外らしさＤＡＹ）は、図１１に示すように、ＥＶ値を変数としたデーライトの屋外らしさを表すメンバシップ関数の値である。
【００７９】
Ｆｙ（屋外らしさＣＬＤ）は、図１２に示すように、ＥＶ値を変数とした日陰の屋外らしさを表すメンバシップ関数の値である。
【００８０】
Ｆｙ（屋内らしさＥＸＤ）、Ｆｙ（屋内らしさＥＸＮ）、Ｆｙ（屋内らしさＴＮＧ）は、図１３に示すように、それぞれＥＶ値を変数とした昼光色の蛍光灯の屋内らしさ又は昼白色の蛍光灯の屋内らしさ又はタングステン電球の屋内らしさを表すメンバシップ関数の値である。また、Ｆｙ（屋内らしさＷ）は、ＥＶ値を変数とした白色の蛍光灯の屋内らしさを表すメンバシップ関数の値であり、Ｆｙ（屋内らしさＥＸＮ）と同様である。また、Ｆｙ（屋内らしさＥＸＬ）は、ＥＶ値を変数とした電球色の蛍光灯の屋内らしさを表すメンバシップ関数の値であり、Ｆｙ（屋内らしさＴＮＧ）と同様である。
【００８１】
次に、ストロボ調光センサ６２によって検出された光に含まれる赤外線成分による屋内らしさを表す評価値Ｆｉｒ（屋内らしさ）を算出する（ステップＳ２５）。Ｆｉｒ（屋内らしさ）は、図１４に示すように、ストロボ調光センサ６２の出力電圧に対応した値を変数として赤外線成分の多さによる屋内らしさを表すメンバシップ関数の値である。すなわち、ストロボ調光センサ６２の出力電圧が高い程赤外線成分が多く、屋内らしさが小さくなる（屋外らしさが大きくなる）。
【００８２】
次に、色に関する光源らしさを表す評価値及び輝度に関する評価値を表す評価値から各検出枠について総合的な光源らしさの評価値Ｈｊを求める（ステップＳ２６）。なお、ストロボ発光しない場合で、撮影モードが風景モードの場合には、Ｈ１〜Ｈ２、Ｈ７についてのみ行う。これは、風景モードの場合は、通常屋外で撮影されるが、屋外の場合に光源がタングステン電球等である場合は考えられないからである。
【００８３】
評価値Ｈ１〜Ｈ７は、以下の式によって求められる。
【００８４】
Ｈ１（日陰らしさの評価値）＝Ｆｃ（ＣＬＤ）×Ｆｙ（屋外らしさ）×Ｆｃ（ＳＫＹ）      …（３）
Ｈ２（昼光色の蛍光灯らしさの評価値）＝Ｆｃ（ＥＸＤ）×Ｆｙ（屋内らしさＥＸＤ）      …（４）
Ｈ３（昼白色の蛍光灯らしさの評価値）＝Ｆｃ（ＥＸＮ）×Ｆｙ（屋内らしさＥＸＮ）×Ｆｉｒ（屋内らしさ）      …（５）
Ｈ４（白色の蛍光灯らしさの評価値）＝Ｆｃ（Ｗ）×Ｆｙ（屋内らしさＷ）×Ｆｉｒ（屋内らしさ）      …（６）
Ｈ５（電球色蛍光灯らしさの評価値）＝Ｆｃ（ＥＸＬ）×Ｆｙ（屋内らしさＥＸＬ）      …（７）
Ｈ６（電球らしさの評価値）＝Ｆｃ（ＴＮＧ）×Ｆｙ（屋内らしさＴＮＧ）  …（８）
Ｈ７（晴れらしさの評価値）＝Ｆｃ（ＤＡＹ）×Ｆｙ（屋外らしさＤＡＹ）  …（９）
なお、ストロボ撮影する場合には、Ｈ７は次式となる。
【００８５】
Ｈ７（ストロボらしさの評価値）＝Ｆｃ（ＴＹＰ）×Ｆｙ（屋外らしさＤＡＹ）      …（１０）
ここで、０≦Ｆｃ（）、Ｆｙ（）≦１であるため、０≦Ｈｊ≦１である。なお、Ｆｃ（ＳＫＹ）は、図１０に示すように、青空検出枠内に入る分割エリアの個数が多い程、日陰らしさの評価値を下げる方向に作用する値をとる。
【００８６】
また、Ｆｙ（屋内らしさ）は、図１３に示すように、ＥＶ値が高い程、それらの検出枠の評価値を下げる方向に作用する値をとる。このように、光源らしさの評価値Ｈｊは、色分布だけでなく輝度も考慮して決定されるため、適正に光源を特定することが可能となる。例えば、蛍光灯が点灯した室内と室外とで同じ色の被写体を撮影した場合に、色分布のみで光源を特定した場合には、光源の特定を誤ってしまい、カラーフェリアが発生してしまう場合がある。
【００８７】
しかしながら、本実施の形態では、輝度が低い場合、すなわち室内で撮影されたような場合には、Ｆｙ（室内らしさ）が高くなり、輝度が高い場合、すなわち室外で撮影されたような場合には、Ｆｙ（室内らしさ）が低くなるため、光源を正確に特定することができ、カラーフェリアが発生するのを防ぐことができる。
【００８８】
また、Ｆｉｒ（屋内らしさ）は、ストロボ調光センサ６２の出力電圧が所定電圧になるまでは徐々に小さくなるため、昼白色蛍光灯の評価値Ｈ２及び白色蛍光灯の評価値Ｈ３を小さくするように作用する。すなわち、出力電圧が高く、ストロボ調光センサ６２で検出した光に赤外線成分が多く含まれるほど、昼白色蛍光灯らしさ及び白色蛍光灯らしさが小さくなる。これは、図５に示すように、蛍光灯は７００ｎｍ以上のの波長成分をほとんど含んでいないため、波長７８０ｎｍ以上の光（赤外光）を感知するストロボ調光センサ６２からの出力が大きければ光源が蛍光灯である確率が低くなるからである。
【００８９】
このように、赤外線出力のメンバシップ関数を用いて、昼白色蛍光灯や白色蛍光灯の光源についての評価値を算出することにより、例えば低輝度屋外（日陰）の葉緑シーンにおいて光源を蛍光灯と誤判断するのを防止することができる。
【００９０】
そして、上記のように各検出枠に対応した光源らしさの評価値が算出されると、これらの評価値のうち予め定めた所定閾値以上の（例えば０．４以上）か否かを判別する（ステップＳ２８）。そして、評価値が所定閾値以上のものが存在する場合には、評価値が所定閾値以上のものを環境光源の候補として選択する。なお、この処理は、本発明の設定手段に相当する。
【００９１】
次に、選択された環境光源の各々について、以下の式に従って環境光源又はストロボ光と環境光源とが混合された混合光源の色が白色となるようにホワイトバランス制御を行うための制御値（ゲイン値）ＧＲ、ＧＢ、ＧＧを算出する（ステップＳ３０）。なお、この処理は、本発明の算出手段に相当する。
【００９２】
ＧＲ＝｛Σ（ｇｒｊ×Ｈｊ）／ΣＨｊ｝×｛Σ（Ｇｊ×Ｈｊ）／ΣＨｊ｝          …（１１）
ＧＢ＝｛Σ（ｇｂｊ×Ｈｊ）／ΣＨｊ｝×｛Σ（Ｇｊ×Ｈｊ）／ΣＨｊ｝          …（１２）
ＧＧ＝Σ（Ｇｊ×Ｈｊ）／ΣＨｊ            …（１３）
ここで、上記（１１）〜（１３）式は、評価値が所定閾値以上のものについて算出され、例えば所定閾値以上の評価値がＨ２〜Ｈ５である場合には、Ｈ２〜Ｈ５の光源についてｇｒｊ，ｇｂｊが算出され、算出されたｇｒｊ，ｇｂｊ、Ｈ２〜Ｈ５を用いて各Σ内の計算が行われる。また、ｇｒｊ，ｇｂｊは、各検出枠における光源の色を所定色とするために必要なゲインであり、次式で示される。
【００９３】
ｇｒｊ＝Ｘｃ／Ｘａｊ’×Ｔｘｊ    …（１４）
ｇｂｊ＝Ｙｃ／Ｙａｊ’×Ｔｙｊ    …（１５）
ここで、Ｘｃ＝Ｒｃ／Ｇｃ、Ｙｃ＝Ｂｃ／Ｇｃである。また、Ｔｘｊ、Ｔｙｊは、基準ＷＢゲイン値が掛けられていない元の画像データのＲ，Ｇ，Ｂの積算値について求めたＸｉ、Ｙｉの平均値をＸａｊ（＝Ｘａｊ’／Ｘｃ）、Ｙａｊ（＝Ｙａｊ’／Ｙｃ）とした場合における、Ｘａｊ、Ｙａｊの目標値であり、所定色に対応する。すなわち、ｇｒｊ，ｇｂｊは、元の画像データのＲ，Ｇ，Ｂの積算値についてＸａｊ、Ｙａｊを求めた場合に、このＸａｊ、Ｙａｊで示される光源（環境光源又はストロボ光と環境光源との混合光源）の色を所定色とするために必要なゲインである。なお、Ｔｘｊ、Ｔｙｊは、例えば１である。
【００９４】
従って、上記（１１）、（１２）式の第１項は、評価値Ｈｊを重みとしたｇｒｊ，ｇｂｊの加重平均値をそれぞれ表している。また、第２項は、明るさを補正するための項であり、ストロボ光を発光しない撮影の場合におけるＧｊは次式で表される。
【００９５】
Ｇｊ＝ｇｊ×（露出補正ゲイン／１２８）    …（１６）
ここで、ｇｊは、光源が晴れの場合に適したホワイトバランス制御を行うために必要なＧ（グリーン）のゲインである。露出補正ゲインは、以下の表のようになる。
【００９６】
【表２】
2004349931.tif 000005
【００９７】
このように明るさを補正するのは、ストロボ光が発光しない場合は周囲の光源だけであるため、明るさが足りなくなる場合があるためである。
【００９８】
また、ストロボ光を発光する撮影の場合には、ＧｊはＧｓｔであり、固定値となるため、明るさは補正されない。
【００９９】
なお、デーライト検出枠（又はストロボ検出枠）の評価値Ｈ７が所定閾値以上であるとして選択されている場合には、ｇｒ７＝Ｘｃ、ｇｂ７＝Ｙｃとする。
【０１００】
このようにして、環境光源又は混合光源の色を所定色にするための制御値ＧＲＲＧＢ、ＧＧが算出されると、これらの制御値が、基準ＷＢゲイン値との間の値で、かつ環境光源又は混合光源に適した値となるように、環境光源に応じて調整される（ステップＳ３２）。なお、この処理は、本発明の調整手段に相当する。調整後の制御値は、ホワイトバランス補正値Ｒｇ、Ｇｇ、Ｂｇとして表され、次式により得られる。
【０１０１】
Ｒｇ＝（ＧＲ−Ｒｄ）×Ｈｍａｘ×Ｌｊ＋Ｒｄ    …（１７）
Ｇｇ＝（ＧＧ−Ｇｄ）×Ｈｍａｘ×Ｌｊ＋Ｇｄ    …（１８）
Ｂｇ＝（ＧＢ−Ｂｄ）×Ｈｍａｘ×Ｌｊ＋Ｂｄ    …（１９）
ここで、Ｈｍａｘは、Ｈｊの最大値であり、Ｈｍａｘに対応する光源を撮影時の光源として特定することができる。例えばＨｍａｘがＨ２であれば、光源は、昼光色の蛍光灯であると判断することができる。また、Ｌｊはローワードコレクション係数であり、各光源に対応して予め定められた値であり、各々の光源下での撮影においてホワイトバランスが適正となるように実験等によって決定された値である。ローワードコレクション係数は、予めメモリ３９に記憶されている。なお、Ｌｊは光源に拘わらず固定値としてもよい。
【０１０２】
また、０≦Ｌｊ≦１であり、Ｌｊ＝０の場合は、Ｒｇ＝Ｒｃ、Ｇｇ＝Ｇｃ、Ｂｇ＝Ｂｃとなり、基準ＷＢゲイン値でのホワイトバランス制御が行われる。また、Ｌｊ＝１及びＨｍａｘ＝１の場合には、Ｒｇ＝ＧＲ、Ｇｇ＝ＧＧ、Ｂｇ＝ＧＧとなる。このように、ホワイトバランス補正値Ｒｇ、Ｇｇ、Ｂｇは、基準ＷＢゲイン値から環境光源の色を所定色にするための制御値ＧＲ、ＧＢ、ＧＧとの間の値で、かつＨｍａｘで特定された環境光源に適したホワイトバランス制御を行うことができる値となる。
【０１０３】
このように算出されたホワイトバランス補正値Ｒｇ、Ｇｇ、Ｂｇは、ホワイトバランス調整回路３０へ出力され、元の画像データのＲ、Ｇ、Ｂの各信号がホワイトバランス調整される（ステップＳ３４）。補正後の信号をＲ’、Ｇ’、Ｂ’とすると、Ｒ’、Ｇ’、Ｂ’は、次式で表される。
【０１０４】
Ｒ’＝Ｒｇ×Ｒ  …（２０）
Ｇ’＝Ｇｇ×Ｇ  …（２１）
Ｂ’＝Ｂｇ×Ｂ  …（２２）
一方、所定閾値以上の評価値Ｈｊが１つもない場合には、ホワイトバランス補正値Ｒｇ、Ｇｇ、ＢｇをそれぞれＲｃ、Ｇｃ、Ｂｃに設定して（ステップＳ３６）、ホワイトバランス調整を行う（ステップＳ３４）。
【０１０５】
このように、本実施形態では、環境光源の色だけでなくＥＶ値をも考慮して環境光源を定めるため、環境光源を正確に定めることができる。また、環境光源の色は、本撮影での撮像画像の画像データから求めているため、撮像シーケンスを複雑にすることなく環境光源を正確に定めることができる。
【０１０６】
そして、ホワイトバランス補正値Ｒｇ、Ｇｇ、Ｂｇは、基準ＷＢゲイン値から環境光源の色を所定色にするための制御値ＧＲ、ＧＢ、ＧＧとの間の値で、かつＨｍａｘで特定された環境光源に適したホワイトバランス制御を行うことができる値となるため、各々の環境光源に対して適正にホワイトバランス制御することができ、カラーフェリアの発生を抑えることができる。
【０１０７】
また、ストロボ調光センサにより赤外線成分をも考慮して光源を定めるため、例えば屋外低輝度の葉緑の撮影シーンにおいて光源を蛍光灯と誤判断するのを防止することができる。また、赤外線成分を検出するセンサとして、別途赤外線センサを設けるのではなく、ストロボ調光センサで兼用するようにしたため、装置を低コストとすることができる。
【０１０８】
さらに、赤外線を検出したか否かで制御を単に切り替えるのではないため、光源が蛍光灯と電球との混合光源のように赤外光が入った光源であっても、シーン変化に対して連続的な補正が可能であり、適正にホワイトバランス制御を行うことができる。
【０１０９】
【発明の効果】
以上説明したように本発明によれば、簡単且つ安価な構成で蛍光灯と電球とが混在するシーン等でも正確に光源種を検出して適正にホワイトバランス制御を行うことができる、という効果を有する。
【図面の簡単な説明】
【図１】本発明に係るデジタルカメラの背面図である。
【図２】デジタルカメラの上面に設けられたモードダイヤルの平面図である。
【図３】デジタルカメラの内部構成を示すブロック図である。
【図４】ＥＶ値の求め方について説明するための図である。
【図５】太陽光、蛍光灯、ストロボ調光センサの分光特性を示すグラフである。
【図６】測光方式について説明するための図である。
【図７】ホワイトバランス制御方法のフローチャートである。
【図８】光源の色分布の範囲としての検出枠を示すグラフである。
【図９】日陰らしさを表すメンバシップ関数を示すグラフである。
【図１０】青空のメンバシップ関数を示すグラフである。
【図１１】デーライトの屋外らしさを表すメンバシップ関数を示すグラフである。
【図１２】屋外らしさを表すメンバシップ関数を示すグラフである。
【図１３】屋内らしさを表すメンバシップ関数を示すグラフである。
【図１４】赤外線による屋内らしさを表すメンバシップ関数を示すグラフである。
【符号の説明】
１０  撮影レンズ
１６  駆動回路
１８  ＣＤＳ回路
２０  Ａ／Ｄ変換器
２４  メモリ
２６  デジタル信号処理回路
２８  同時化回路
３０  ホワイトバランス調整回路
３０Ｒ、３０Ｇ、３０Ｂ    乗算器
３２  ガンマ補正回路
３４  ＹＣ信号作成回路
３６  メモリ
３９  メモリ
４０  カメラ操作部
４２  駆動部
４４  絞り駆動部
４８  積算回路
５０Ｒ、５０Ｇ、５０Ｂ    乗算器
６０    ストロボ
６２    ストロボ調光センサ
【図１】
2004349931.tif 000006
【図２】
2004349931.tif 000007
【図３】
2004349931.tif 000008
【図４】
2004349931.tif 000009
【図５】
2004349931.tif 000010
【図６】
2004349931.tif 000011
【図７】
2004349931.tif 000012
【図８】
2004349931.tif 000013
【図９】
2004349931.tif 000014
【図１０】
2004349931.tif 000015
【図１１】
2004349931.tif 000016
【図１２】
2004349931.tif 000017
【図１３】
2004349931.tif 000018
【図１４】
2004349931.tif 000019